(57)【要約】【課題】背もたれ部、中間部及び足載せ部間の相対的な位置を簡単に変えることを可能とする構造を有する改良型の寝椅子を提供する。【解決手段】背もたれ部（５０）と、足載せ部（５２）と、背もたれ部（５０）と足載せ部（５２）との間に結合された中間部（５４）とを支えるベース構造（１２）を備えた寝椅子（１０）において、ベース構造（１２）が、背もたれ部（５０）を支え、第１静止横軸（２２）を中心として関節結合された第１可動支持部（２６）と、足載せ部（５２）を支え、第２静止横軸（２４）を中心として関節結合された第２可動支持部（２８）とが設けられている。【選択図】  図１
2005034645.tif 000002
【特許請求の範囲】
【請求項１】
背もたれ部（５０）と、足載せ部（５２）と、背もたれ部（５０）と足載せ部（５２）との間に結合された中間部（５４）とを支えるベース構造（１２）を備えた寝椅子において、ベース構造（１２）が、
背もたれ部（５０）を支え、第１静止横軸（２２）を中心として関節結合された第１可動支持部（２６）と、
足載せ部（５２）を支え、第２静止横軸（２４）を中心として関節結合された第２可動支持部（２８）とを備えたことを特徴とする寝椅子。
【請求項２】
上記背もたれ部（５０）、中間部（５４）及び足載せ部（５２）が実質的に水平な支持面を画定する状態を、上記第１、第２可動支持部（２６，２８）が、静止状態の上記ベース構造（１２）に対してとることができることを特徴とする請求項１に記載の寝椅子。
【請求項３】
上記中間部（５４）が上記背もたれ部（５０）及び足載せ部（５２）に対して反対方向に、水平に対して傾斜させられた少なくとも一つの状態を、上記第１、第２可動支持部（２６，２８）がとることができることを特徴とする請求項１に記載の寝椅子。
【請求項４】
上記第１、第２可動支持部（２６，２８）の各々が、共通の横軸（２２，２４）を中心として関節結合された二つの側部支持エレメント（３０）備えたことを特徴とする請求項１に記載の寝椅子。
【請求項５】
上記第１、第２可動支持部（２６，２８）の各々が三角形で、それ自身の頂点（３８）に一致させて上記ベース構造（１２）に関節結合されていることを特徴とする請求項４に記載の寝椅子。
【請求項６】
上記第１、第２可動支持部（２６，２８）の各々が、上記背もたれ部（５０）または上記足載せ部（５２）に固定された上方辺（３２）を有することを特徴とする請求項５に記載の寝椅子。
【請求項７】
上記中間部（５４）が上記背もたれ部（５０）に、かつ各横軸（５６，５８）を中心として上記足載せ部（５２）に関節結合されたことを特徴とする請求項１に記載の寝椅子。
【請求項８】
上記背もたれ部（５０）、中間部（５４）及び足載せ部（５２）が、それぞれ、２或いはそれよりも多くの横エレメント（６２）により互いに結合された一対の側部長手エレメント（６０）を備えたことを特徴とする請求項１に記載の寝椅子。
【請求項９】
上記背もたれ部（５０）、中間部（５４）及び足載せ部（５２）が、上記側部長手エレメント（６０）に固定された占有者支持エレメント（８０）を支えることを特徴とする請求項１に記載の寝椅子。
【請求項１０】
上記占有者支持エレメント（８０）が、上記背もたれ部（５０）、中間部（５４）及び足載せ部（５２）に沿って延びるモノリシックエレメントであることを特徴とする請求項９に記載の寝椅子。
【請求項１１】
上記第１可動支持部（２６）の上記支持エレメント（３０）が、作動状態と非作動状態との間で作動可能な一対のアームレスト（８８）を支えていることを特徴とする請求項６に記載の寝椅子。
【請求項１２】
上記アームレスト（８８）の各々が、上記各支持エレメント（３０）の上記上方辺（３２）に一致させて装着されていることを特徴とする請求項１１に記載の寝椅子。
【請求項１３】
上記アームレスト（８８）の各々が、長手軸を中心として関節結合され、非作動状態と作動状態との間で回転可能であることを特徴とする請求項１２に記載の寝椅子。
【請求項１４】
上記ベース構造（１２）に対して上記可動支持部（２６，２８）の二つの限界端停止位置を画定することができる端ストッパー手段（４６，４８）を備えていることを特徴とする請求項１に記載の寝椅子。
【請求項１５】
上記限界端停止位置間の少なくとも一つの中間位置で、上記可動支持部（２６，２８）の少なくとも一方を固定することができる固定装置を備えていることを特徴とする請求項１４に記載の寝椅子。
【発明の詳細な説明】
【技術分野】
【０００１】
本発明は、背もたれ部と，足載せ台部と、背もたれ部と足載せ台部との間に結合された中間部とを支持するベース構造を備えた寝椅子に関するものである。
【背景技術】
【０００２】
寝椅子は、使用者にいくぶん横になった休息姿勢をとることを許容する身体構造上の形状を備えたリクライニングチェアである。寝椅子は伝統的に異なる勾配の三つの部分、即ち背もたれ部、中間部及び足載せ部により形成されている。使用者が寝椅子に座ると、通常、使用者のひざは使用者の臀部及び足よりも高い。
【０００３】
１９２７年にLe Corbusierにより設計された連続的に調整可能な寝椅子は、設計の歴史の一部になってきた備品要素である。連続的に調整できる寝椅子は、地面を押さえ付ける構造により形成され、そしてそれは静止ベース構造に対して摺動可能な二つのアーチ形支持エレメントを含むシーティング構造（seating structure）を支持し、その結果使用者は意のままにこのシーティング構造の傾斜を変えることができる。
【発明の開示】
【発明が解決しようとする課題】
【０００４】
本発明の目的は、背もたれ部、中間部及び足載せ部間の相対的な位置を簡単に変えることを可能とする構造を有する改良型の寝椅子を提供することにある。
【課題を解決するための手段】
【０００５】
本発明によれば、上記目的は主たる請求項に述べられた特徴を有する寝椅子により達成され、第１発明は、背もたれ部と、足載せ部と、背もたれ部と足載せ部との間に結合された中間部とを支えるベース構造を備えた寝椅子において、ベース構造が、背もたれ部を支え、第１静止横軸を中心として関節結合された第１可動支持部と、足載せ部を支え、第２静止横軸を中心として関節結合された第２可動支持部とを備えた構成とした。
【０００６】
第２発明は、第１発明の構成に加えて、上記背もたれ部、中間部及び足載せ部が実質的に水平な支持面を画定する状態を、上記第１、第２可動支持部が、静止状態の上記ベース構造に対してとることができる構成とした。
【０００７】
第３発明は、第１発明の構成に加えて、上記中間部が上記背もたれ部及び足載せ部に対して反対方向に、水平に対して傾斜させられた少なくとも一つの状態を、上記第１、第２可動支持部がとることができる構成とした。
【０００８】
第４発明は、第１発明の構成に加えて、上記第１、第２可動支持部の各々が、共通の横軸を中心として関節結合された二つの側部支持エレメント備えた構成とした。
【０００９】
第５発明は、第４発明の構成に加えて、上記第１、第２可動支持部の各々が三角形で、それ自身の頂点に一致させて上記ベース構造に関節結合されている構成とした。
【００１０】
第６発明は、第５発明の構成に加えて、上記第１、第２可動支持部の各々が、上記背もたれ部または上記足載せ部に固定された上方辺を有する構成とした。
【００１１】
第７発明は、第１発明の構成に加えて、上記中間部が上記背もたれ部に、かつ各横軸を中心として上記足載せ部に関節結合された構成とした。
【００１２】
第８発明は、第１発明の構成に加えて、上記背もたれ部、それぞれ、中間部及び足載せ部が、２或いはそれよりも多くの横エレメントにより互いに結合された一対の側部長手エレメント（６０）を備えた構成とした。
【００１３】
第９発明は、第１発明の構成に加えて、上記背もたれ部、中間部及び足載せ部が、上記側部長手エレメントに固定された占有者支持エレメントを支える構成とした。
【００１４】
第１０発明は、第９発明の構成に加えて、上記占有者支持エレメントが、上記背もたれ部、中間部及び足載せ部に沿って延びるモノリシックエレメントである構成とした。
【００１５】
第１１発明は、第６発明の構成に加えて、上記第１可動支持部の上記支持エレメントが、作動状態と非作動状態との間で作動可能な一対のアームレストを支えている構成とした。
【００１６】
第１２発明は、第１１発明の構成に加えて、上記アームレストの各々が、上記各支持エレメントの上記上方辺に一致させて装着されている構成とした。
【００１７】
第１３発明は、第１２発明の構成に加えて、上記アームレストの各々が、長手軸を中心として関節結合され、非作動状態と作動状態との間で回転可能である構成とした。
【００１８】
第１４発明は、第１発明の構成に加えて、上記ベース構造に対して上記可動支持部の二つの限界端停止位置を画定することができる端ストッパー手段を備えている構成とした。
【００１９】
第１５発明は、第１４発明の構成に加えて、上記限界端停止位置間の少なくとも一つの中間位置で、上記可動支持部の少なくとも一方を固定することができる固定装置を備えている構成とした。
【発明を実施するための最良の形態】
【００２０】
本発明は単に非限定的な例として与えられている添付図面を参照してここに詳細に述べられている。
【００２１】
次に、本発明の一実施形態を図面にしたがって説明する。
図１〜５を参照すると、参照番号１０は、静止ベース構造１２を備えた本発明に係る寝椅子を示している。これらの図に示された実施形態では、静止ベース構造１２は、第１横ベースエレメント１４と第２横ベースエレメント１６とを備えている。この二つの第１，第２横ベースエレメント１４，１６は、図示する例では、第１，第２横ベースエレメント１４，１６に固定された単一の縦エレメント１８により形成された縦構造により相互に固定されている。第１，第２横ベースエレメント１４，１６を互いに結合する縦構造は数々の変形を受けてもよい。例えば、中心の縦エレメント１８は、横の位置の２或いはそれよりも多くの縦エレメントにより置換され得るであろう。縦エレメント１８により形成された縦構造の唯一の目的は、二つの第１，第２横ベースエレメント１４，１６を固定状態に維持することである。静止ベース構造１２は、地面２０に接するためのエレメントを設けられ、例えば第１，第２横ベースエレメント１４，１６の底面に設けられている。二つの第１，第２横ベースエレメント１４，１６は、それぞれ、互いに平行な横関節軸２２，２４を支持している。
【００２２】
寝椅子１０は、静止ベース構造１２に関節結合され、横関節軸２２，２４のそれぞれを中心とする二つの可動支持部２６，２８を備えている。各可動支持部２６，２８は三角形の二つの支持エレメント３０を備えている。各可動支持部２６の二つの支持エレメント３０は横関節軸２２，２４の周りに第１，第２横ベースエレメント１４，１６のそれぞれに関節結合されている。三角形の支持エレメント３０は、第１，第２横ベースエレメント１４，１６のそれぞれの対向する端部に位置させられている。三角形の各支持エレメント３０は、上方辺３２、内方辺３４及び外方辺３６を有している。内方辺３４と外方辺３６とにより形成され、参照番号３８で示された頂点は、第１，第２横ベースエレメント１４，１６のそれぞれの端部に関節結合されている。
【００２３】
図７及び９を参照すると、三角形の支持エレメント３０の頂点３８は、同軸のブッシング４２が設けられるのが好ましいピボットピン４０により第１横ベースエレメント１４に関節結合されている（図９）。このピボットピン４０は、第１または第２横ベースエレメント１４または１６の端部に固定されたディスク４４に固定されている。三角形の各支持エレメント３０の頂点３８は、横関節軸２２または２４を画定する各ピボットピン４０の軸を中心として回転自在になっている。三角形の各支持エレメント３０と第１，第２横ベースエレメント１４，１６の各端部との間に位置させられた端部ストッパー手段が設けられている。図７及び８に示す例では、この端部ストッパー手段は、横関節軸２２または２４に対して正反対に位置させられた一対のピボットピン４６を備えている。このピボットピン４６は、三角形の支持エレメント３０の頂点３８に固定され、第１または第２横ベースエレメント１４または１６に固定されたディスク４４内に形成されたアーチ形溝４８の各々に摺動自在に係合している。アーチ形溝４８の長さは、三角形の支持エレメント３０の振動運動の振幅を決める。
【００２４】
寝椅子１０には、背もたれ部５０，足載せ部５２及び背もたれ部５０と足載せ部５２との間に結合された中間部５４が設けられている。中間部５４は、横軸５６を中心として背もたれ部５０に関節結合され、かつそれは横軸５６に平行な横軸５８を中心として足載せ部５２に関節結合されている。横軸５６，５８は、横関節軸２２，２４に平行である。第１の可動支持部２６は背もたれ部５０に固定され、第２の可動支持部２８は足載せ部５２に固定されている。
【００２５】
背もたれ部５０，足載せ部５２及び中間部５４の各々は、上向きに凹状のアーチ形状を有するのが好ましい二つのクロス部材６２により互いに結合された二つの側部長手エレメント６０を備えている。図７及び８に示すように、各クロス部材６２の端部は各側部長手エレメント６０に固定されている。この固定は、図８に示すように、各クロス部材６２の各端部６４を対応する側部長手エレメント６０の凹所６６内に挿入してなされる。ねじ６８が、側部長手エレメント６０に対する端部６４の固定を完全なものにしている。
【００２６】
背もたれ部５０の二つの側部長手エレメント６０は第１の可動支持部２６の各上方辺３２に固定されている。足載せ部５２の側部長手エレメント６０は第２の可動支持部２８の上方辺３２に固定されている。この固定は、何等かの方法、例えばねじ、溶接、固定ジョイント等によりなされる。
【００２７】
背もたれ部５０及び足載せ部５２に対する中間部５４の関節部は図１１に示すようになされる。二つの隣接する背もたれ部５０、中間部５４（または中間部５４、足載せ部５２）はヒンジピン７４により互いに関節結合された二つのヒンジエレメント７２を含むヒンジ７０により互いに関節結合されている。
【００２８】
三つの背もたれ部５０，足載せ部５２及び中間部５４の側部長手エレメント６０は占有者の重量を支持し、三つの背もたれ部５０，足載せ部５２及び中間部５４の支持面を形成する任務を有する支持エレメントを支えている。この支持面は、剛体、半剛体、フレキシブルな或いはパッド入りの材料により形成される。図示する例では、この支持エレメントは、側部長手エレメント６０に固定された織物シート８０により形成されている。図８及び１２に詳細に示すように、織物シート８０の各長手縁部は、各側部長手エレメント６０における長手受け座８４内に挿入されたアイレット８２を形成している。このアイレット８２は長手ロッド８６により長手受け座８４内に固定されている。本発明の好ましい実施形態によれば、単一のモノリシック（monolithic）層である織物シート８０が三つの背もたれ部５０，足載せ部５２及び中間部５４に沿って広がっている。この織物シート８０は、三つの背もたれ部５０，足載せ部５２及び中間部５４の上面全体に沿って連続的に広がっている。
【００２９】
好ましくは、本発明に係る寝椅子に一対のアームレスト８８が設けられるのがよい。各アームレスト８８は作動状態と非作動状態との間、及びその逆の間で可動であるのがよい。
【００３０】
図示する実施形態では、各アームレスト８８は三角形の各支持エレメント３０により支えられている。特に図１０を参照すると、各アームレスト８８は三角形で、支持エレメント３０上方辺３２に平行な辺９０でもって位置させられている。各アームレスト８８は、長手軸９２を中心として支持エレメント３０に関節結合され、図３，５及び１０に示す引き下げ状態と図１，２及び４に示す引き上げ状態との間で作動可能である。保持手段（図示せず）が引き上げ状態及び引き下げ状態にある各アームレスト８８をとどめておくために設けられている。好ましくは、この保持手段は、弾性エレメントの作用下、カチッととまるように係合させられるのがよく、その結果、使用者はばね保持エレメントの抵抗力に打ち勝つようにアームレストの回転軸を中心として十分なトルクを適用することによりアームレストを引き上げ状態から引き下げ状態に、及びその逆にアームレストを作動させることができる。
【００３１】
図１〜５に示すように、本発明に係る寝椅子１０は、図２，３に示すリクライニングベッド状態と図１，４に示す肘掛け椅子状態になることができる。図２，３及び５を参照すると、リクライニングベッド状態では、三角形の支持エレメント３０の上方辺３２は水平である。この状態では、背もたれ部５０，足載せ部５２及び中間部５４は整列させられ、実質的に互いに共面をなし、そして織物シート８０は実質的に水平な支持面を形成している。
【００３２】
図１及び４に示す肘掛け椅子状態では、背もたれ部５０及び足載せ部５２は水平面に対して同方向に両者とも傾斜させられ、一方、中間部５４は反対方向に傾斜させられている。背もたれ部５０と中間部５４との間の関節部の横軸５６は中間部５４と足載せ部５２との間の関節部の横軸５８よりも低く位置させられている。
【００３３】
図４及び５は、リクライニングベッドおよび肘掛け椅子形態を示している。さらに、各図において寝椅子の他の状態は破線で示されている。図４及び５に示す二つの状態は、可動支持部２６，２８が静止ベース構造１２の拘束手段に当接している安定状態である。
【００３４】
本発明に係る寝椅子に、図４及び５に示す二つの限界状態間の中間状態において寝椅子を固定する固定装置（locking device）を設けてもよい。この固定装置は、事務椅子の高さ調節を許容する空気ばねと同様に、使用者がロックおよびアンロックできる空気ばねであってもよい。この空気ばねは、可動支持部２６と静止ベース構造１２との間で関節結合により位置させられてもよく、使用者が空気ばねをロック或いはアンロックするように作動させ得る指令組織に関連付けられてもよい。この種の固定装置で、使用者は図示された限界端停止位置間のいかなる中間位置でも寝椅子をロックすることができることは容易に理解できる。
【００３５】
本発明は図示された実施形態に対して多くの変形を受け得る。例えば、可動支持部２６，２８の形状は図示するものと異なってもよい。アームレスト（もしも存在するならば）もまた図示するものと変わってもよく、アームレストが非作動状態に作動させられる方法も変わり得る。
【００３６】
本発明の特に好都合な特徴は、使用者が単にその重量を移動させることのみにより寝椅子の作動状態の一方から他方へ移行させ得るという事実からなっている。三角形の支持エレメント３０の形状は、一方の作動状態から他方の作動状態への移行を容易にする用に決められる。特に、もしも三角形の支持エレメント３０の外方辺３６が頂点３８を通る三角形の高さに対して内方辺３４に比してより大きい傾斜角度を有するならば、寝椅子の形態の変化はより円滑になることに注目されてきた。
【図面の簡単な説明】
【００３７】
【図１】二つの作用状態の一方にある本発明に係る寝椅子を示す斜視図である。
【図２】二つの作用状態の他方にある本発明に係る寝椅子を示す斜視図である。
【図３】図２の作用状態にあり、アームレストが下げられた寝椅子を示す斜視図である。
【図４】図１に示す寝椅子を示す側面図である。
【図５】図２に示す寝椅子を示す側面図である。
【図６】本発明に係る寝椅子の底面図である。
【図７】図６のVII-VII線断面図である。
【図８】図７における矢印VIIIで示す部分を拡大した部分詳細図である。
【図９】図７のIX-IX線断面図である。
【図１０】本発明に係る寝椅子の二つの可動支持部の内の一方の正面図である。
【図１１】図５における矢印XIで示す部分を拡大した部分詳細図である。
【図１２】図１１のXII-XII線断面図である。
【符号の説明】
【００３８】
１０  寝椅子
１２  静止ベース構造
１４  第１横ベースエレメント
１６  第２横ベースエレメント
１８  縦エレメント
２０  地面
２２  横関節軸
２４  横関節軸
２６  可動支持部
２８  可動支持部
３０  支持エレメント
３２  上方辺
３４  内方辺
３６  外方辺
３８  頂点
４０  ピボットピン
４２  ブッシング
４４  ディスク
４６  ピボットピン
４８  アーチ形溝
５０  背もたれ部
５２  足載せ部
５４  中間部
５６  横軸
５８  横軸
６０  側部長手エレメント
６２  クロス部材
６４  端部
６６  凹所
６８  ねじ
７０  ヒンジ
７２  ヒンジエレメント
７４  ヒンジピン
８０  織物シート
８２  アイレット
８４  長手受け座
８６  長手ロッド
８８  アームレスト
９０  辺
９２  長手軸
【図１】
2005034645.tif 000003
【図２】
2005034645.tif 000004
【図３】
2005034645.tif 000005
【図４】
2005034645.tif 000006
【図５】
2005034645.tif 000007
【図６】
2005034645.tif 000008
【図７】
2005034645.tif 000009
【図８】
2005034645.tif 000010
【図９】
2005034645.tif 000011
【図１０】
2005034645.tif 000012
【図１１】
2005034645.tif 000013
【図１２】
2005034645.tif 000014